(57)【特許請求の範囲】
【請求項１】
内刃クリーニング用のブラシ１７を有する清掃具Ｇが、かみそりヘッド４に対して着脱可能に装着してあり、
ブラシ１７が内刃５に接触する状態で、内刃５を往復駆動しながらクリーニングを行う往復動型の電気かみそりであって、
清掃具Ｇは、かみそりヘッド４に着脱自在に装着されるホルダー１６と、ホルダー１６の内部に配置されるブラシ１７と、ホルダー１６とブラシ１７との間に設けられて、ブラシ１７を往復変位自在に支持する支持体１８と、ブラシ１７と内刃５との間に設けられて、内刃５の振動をブラシ１７に伝える伝動機構１９とを含み、
伝動機構１９が、内刃５の振動を内刃５の振動方向と逆向きに変換してブラシ１７に伝えるようにしてあることを特徴とする往復動型の電気かみそり。
【請求項２】
伝動機構１９が、てこ機構で構成してある請求項１記載の往復動型の電気かみそり。
【請求項３】
伝動機構１９が、内刃５の振動ストロークを増幅してブラシ１７に伝動できるよう構成してある請求項１または２記載の往復動型の電気かみそり。
【請求項４】
支持体１８が伝動機構１９を兼ねている請求項１または３記載の往復動型の電気かみそり。
【請求項５】
ホルダー１６が、かみそりヘッド４に装着される基枠２０と、基枠２０に回動可能に支持したキャップ２１とで構成されており、
内刃５が振動子８の振動方向とほぼ直交する向きに交差する姿勢でクリーニングを行う請求項１記載の往復動型の電気かみそり。
【請求項６】
キャップ２１の周壁に、洗浄水の出入りを許す通水口２７が開口している請求項５記載の往復動型の電気かみそり。
【発明の詳細な説明】
【０００１】
【発明の属する技術分野】
この発明は、内刃クリーニング用の清掃具を備えている往復動型の電気かみそりに関する。この清掃具は内刃の振動を利用して往復駆動されるブラシを備えている。
【０００２】
【従来の技術】
ブラシを備えた清掃具をかみそりヘッドに装着し、内刃を駆動しながらクリーニングを行う形態の清掃具は、実開昭５８−１７４０６８号公報に公知である。また、内刃を通常の使用位置から９０度回動変位させて、クリーニングを行う清掃具は、実開昭５９−４００７８号公報や実開昭６０−１５１４８４号公報に公知である。いずれも、かみそりヘッドに圧嵌係合される取付枠と、取付枠の長手方向辺部と直交するブラシ台とを備えており、ブラシ台の下面にクリーニング用のブラシが植設されている。
【０００３】
【発明が解決しようとする課題】
従来の清掃具におけるブラシは、回転型のブラシを除くと、ブラシが取付枠やホルダーに固定してあるので、クリーニング時には、内刃が静止しているブラシ毛に対して往復動することによって、ブレードに付着した毛屑等を取り除くことになる。こうした清掃形態では、内刃とブラシ毛とは内刃の往復振動ストロークの分だけ擦れ合うに過ぎない。因みに、内刃の振動ストロークは１〜２mm前後しかないので、ブラシ毛は各ブレードに対応して密生した状態で設ける必要があり、その分だけクリーニング時の駆動抵抗が増える。内刃とブラシ毛の摺接ストロークが小さい分だけ両者の接触衝撃が小さいので、例えばブレードに膠着した皮脂等の除去に時間が掛かることになる。
【０００４】
この発明の目的は、クリーニング時にブラシを内刃の駆動方向と逆向きに駆動することにより、内刃とブラシとの摺接ストロークが拡大するようにし、以て内刃のブレードに付着の毛屑や皮脂等を短時間で効果的にクリーニングできるようにすることにある。この発明の目的は、内刃の振動ストロークを増幅してブラシに伝動し、内刃とブラシとの接触衝撃を増加させて、内刃のクリーニングをより効果的に行うことにある。
【０００５】
この発明の目的は、ブラシを内刃の振動方向と逆向きに駆動するためのメカニズムを簡素化して、能動的にクリーニングを行う清掃具をより低コストで提供することにある。この発明の目的は、内刃をひげそり時の駆動方向と直交する向きに変位した状態でクリーニングを行え、従って内刃のクリーニングがより適切にしかも効果的に行えるようにすることにある。
【０００６】
【課題を解決するための手段】
この発明は、図２に示すごとく、内刃クリーニング用のブラシ１７を有する清掃具Ｇが、かみそりヘッド４に対して着脱可能に装着してあって、ブラシ１７が内刃５に接触する状態で、内刃５を往復駆動しながらクリーニングを行う往復動型の電気かみそりを対象とする。清掃具Ｇは、図３に示すごとくかみそりヘッド４に着脱自在に装着されるホルダー１６と、ホルダー１６の内部に配置されるブラシ１７と、ホルダー１６とブラシ１７との間に設けられて、ブラシ１７を往復変位自在に支持する支持体１８と、ブラシ１７と内刃５との間に設けられて、内刃５の振動をブラシ１７に伝える伝動機構１９とを含む。その伝動機構１９は、内刃５の振動を内刃５の振動方向と逆向きに変換してブラシ１７に伝えるようにしたものである。伝動機構１９は、てこ機構で構成し、内刃５の振動ストロークを増幅してブラシ１７に伝動できるようにすることができる。更に、支持体１８は伝動機構１９を兼ねることができる。
【０００７】
そのホルダー１６は、図３に示すごとく、かみそりヘッド４に装着される基枠２０と、基枠２０に回動可能に支持したキャップ２１とで構成する。以て、内刃５を振動子８の振動方向とほぼ直交する向きに交差する姿勢にしてクリーニングを行えるようにする。そして、キャップ２１の周壁に、洗浄水の出入りを許す通水口２７を開口したものである。
【０００８】
【作用および発明の効果】
ブラシ１７を支持体１８で往復変位自在に支持し、ブラシ１７を伝動機構１９で内刃５の振動方向と逆向きに駆動するので、内刃５とブラシ１７との摺接ストロークは、内刃５の振動ストロークを１倍以上に拡大できる。その摺接ストロークが大きくなる分だけ、ブラシ１７による清掃範囲が拡がり、ブラシ１７と内刃５との摺接速度が増加して接触衝撃が増大する。従って、従来例に比べて本発明の清掃具によれば、ブレードに付着の毛屑や皮脂等を効果的にクリーニングできる。
【０００９】
内刃５の振動をブラシ１７に伝える伝動機構１９がてこ機構で構成されていると、振動方向の変換を簡単に逆向きに変換でき、必要に応じて内刃５の振動ストロークを増幅してブラシ１７に伝動できる。伝動機構１９の全体構造を簡素化することにも役立つ。従って、清掃具Ｇを低コストで製造できる。
【００１０】
内刃５の振動ストロークを増幅してブラシ１７に伝動すると、内刃５とブラシ１７との摺接速度がさらに増加し、両者の接触衝撃を増強できるので、ブレードのクリーニングをさらに効果的に行える。摺接ストロークが大きい分だけブラシ毛３１の植設密度を減少し、クリーニング時の内刃５の駆動抵抗を減少できることにもなる。
【００１１】
支持体１８を兼ねる伝動機構１９でブラシ１７を往復駆動する清掃具Ｇによれば、全体構造を簡素化して、故障発生の可能性を著しく低下できるうえ、清掃具Ｇをより低コストで製造できる。
【００１２】
ホルダー１６が、基枠２０と、基枠２０に回動可能に支持したキャップ２１とで構成してあると、基枠２０をかみそりヘッド４に装着した後、キャップ２１を回動操作して、内刃５を振動子８の振動方向と直交した姿勢にしてクリーニングを行える。このクリーニング状態においては、ブラシ１７と内刃５のブレードとが、ブレードの面壁に沿って相対摺動するので、ブレードに付着の毛屑や皮脂を迅速かつ効果的にクリーニングできる。
【００１３】
キャップ２１に通水口２７を設けて、ブラシ１７による掻き落とし作用に加えて、水洗い作用によっても内刃５の洗浄を行えるようにすると、落ちにくい皮脂や毛屑をさらに確実にクリーニングできる。
【００１４】
【実施例】
図１ないし図６はこの発明に係る電気かみそりの実施例を示す。図２において電気かみそりは、モータ１や電池２などを収容する本体部３を有する。本体部３の上方のかみそりヘッド４には、内刃５と、外刃６をアーチ形に保持する外刃ホルダー７とを備えている。モータ１の回転動力は振動子８を介して往復振動に変換された後、振動子８の上面に突設した駆動軸９を介して内刃５に伝わる。内刃５は、平行に配置した一群のブレード５ａと、ブレード群を固定支持するプラスチック製の基枠５ｂとからなり、基枠５ｂが駆動軸９で回転自在に軸支され、さらに駆動軸９の軸心に沿って上下スライドできる。内刃５は図外のばねで外刃６側へ向ってスライド付勢されている。図２において、本体部３の一側には、モータ起動用のスイッチをオンオフ操作するスイッチノブ１１が設けてある。
【００１５】
かみそりヘッド４は本体部３の左右横長の角形断面形状よりひと回り小さな相似断面形状に形成してあり、この嵌合部４ａに外刃ホルダー７を外嵌状に装着し、左右一対のロック爪１３で外刃ホルダー７の係合部７ａを抜け止め保持している。ロック爪１３の下端に設けたボタン１４をばねの付勢力に抗して押し込むと、ロック爪１３と外刃ホルダー７との係合状態が解除され、外刃ホルダー７をかみそりヘッド４から取り外すことができる。
【００１６】
内刃５を往復駆動しながらクリーニングを行うために、クリーニング専用の清掃具Ｇを有する。図２および図３において清掃具Ｇは、ホルダー１６と、ホルダー１６の内部に配置されるブラシ１７と、ブラシ１７を往復変位自在に支持する支持体１８と、内刃５の振動を内刃５の振動方向と逆向きに変換してブラシ１７に伝える伝動機構１９とで構成する。
【００１７】
ホルダー１６は、かみそりヘッド４に装着される基枠２０と、基枠２０に対して相対回動可能に支持されるキャップ２１とで構成する。図３において基枠２０は、上下面が開口する断面長方形状のプラスチック枠体からなり、先の嵌合部４ａに外嵌状に装着される。基枠２０の左右両側壁の内面には外刃ホルダー７の係合部７ａと同じ係合部２３を設けてあり、この係合部２３をロック爪１３で係合保持することにより装着状態を維持できる。基枠２０の前後壁の上端中央には、部分円弧状のガイドリブ２４を一体に突出形成する。これらのリブ２４の円弧中心は、内刃５の回動中心と一致しており、このガイドリブ２４でキャップ２１を基枠２０上において回動可能に支持する。かみそりヘッド４に装着した状態における基枠２０の上端開口面は、かみそりヘッド４の上端面より僅かに上方に位置している。
【００１８】
キャップ２１は、断面逆Ｕ字状のアーチ壁２５と、アーチ壁２５の左右両側端を塞ぐ一対の端壁２６とを有するプラスチック成形品からなり、アーチ壁２５の前後面のそれぞれに水洗い用の一群の通水口２７が開口している。キャップ２１の前後壁の下端中央に、先のガイドリブ２４と係合して回動案内される部分円弧状の旋回リブ２８を一体に設ける。図５に示すように、ガイドリブ２４と旋回リブ２８とは、上下に係合し合って互いに抜け外れ不能に接合している。前後の旋回リブ２８の周長は、前後のガイドリブ２４の欠落部分の周長より大きく寸法設定する。これは、キャップ２１を回動操作して、その長手方向線が基枠２０の長手方向線と直交する状態においても、両リブ２４・２８の係合状態を維持し続けるためである。
【００１９】
ブラシ１７は、図３に示すごとくブラシ台３０と、その下面に植設した一群のブラシ毛３１とからなり、ブラシ台３０とキャップ２１との間に設けた支持体１８で、ブラシ１７の全体を浮動支持している。詳しくは、図４および図５に示すようにブラシ３０の左右端寄りの前後面に設けた逆Ｌ字状の４個の支持腕３３で支持体１８を構成する。各支持腕３３は、その下端寄りに設けた支点軸３４をキャップ２１の左右端壁２６で軸支することにより、てこ機構として構成し、支持体１８が伝動機構１９を兼ねている。
【００２０】
各支持腕３３の上端は薄肉のヒンジ部３５を介してブラシ台３０とつながっている。支点軸３４より下側の腕部分は内刃５の前後面と接当している。従って、図１において内刃５が矢印Ｒ方向へ変位すると、内刃５で押された側の支持腕３３が支点軸３４を中心にしてＳ方向へ傾動する。しかも、支持腕３３は支点軸３４より上側の腕部分の上腕長ｂ１が、支点軸３４と内刃５の接当位置までの下側の腕部分の下腕長ｂ２より大きく設定してあるので、上側の腕部分は内刃５のストロークより大きなストロークで傾動する。内刃５が矢印Ｒと逆向きに変位する場合にも、同様に支持腕３３を逆向きに増幅して傾動できる。その結果、内刃５に付着した毛屑や皮脂をより効果的にクリーニングできる。
【００２１】
かかる清掃具Ｇによれば、外刃ホルダー７を取外した後、基枠２０をかみそりヘッド４の嵌合部４ａに装着し、図６に示すようにキャップ２１を回動操作することにより、内刃５をキャップ２１に同行して回動させ、その長手中心線を振動子８の往復駆動方向と直交させて清掃位置へ変位することができる。この状態でキャップ２１の通水口２７に流水を流しかけながら、あるいは溜め置いた水の中にキャップ２１の全体を浸漬した状態でスイッチノブ１１をオン操作すると、内刃５とブラシ毛３１とが、個々の刃体の面壁に沿って相対スライドし、水の洗い流し作用で刃体に付着の毛屑や皮脂などを確実に清掃除去できる。
【００２２】
クリーニング時には、ブラシ１７が内刃５の振動方向とは逆向きに駆動されるので、内刃５とブラシ１７とは、内刃５の振動ストロークの１倍以上の摺接ストロークで相対摺動する。さらに、上腕長ｂ１と下腕長ｂ２とのてこ比の分だけ、ブラシ１７の駆動ストロークが増幅される。従って、従来の清掃具に比べて、内刃５とブラシ１７との接触衝撃を高めて、内刃５のクリーニングを効果的に行える。
【００２３】
クリーニングが終わったら、キャップ２１を元の状態へ戻して内刃５を通常位置へ復帰させ、ロック爪１３のボタン１４を押し込み操作することにより、清掃具Ｇの全体をかみそりヘッド４から取り外すことができる。この後、水気を切って再び外刃ホルダー７をかみそりヘッド４に装着する。
【００２４】
図７および図８は清掃具Ｇの別実施例を示す。そこではホルダー１６を下向きに開口するキャップ状に構成し、その内部に配置したブラシ１７を支持体１８で浮動支持した。具体的には、ホルダー１６の側端壁に設けたブラケット４０で、左右一対の支持腕３３の上端をブラシ台３０とピン４１とを介して屈折自在に連結した。さらに、各支持腕３３の下端に、内刃５の側端に外接する抱持枠４２を設け、かみそりヘッド４にホルダー１６を装着した状態において、一対の抱持枠４２で内刃５を挟持している。この実施例においても、支持体１８が伝動機構１９を兼ねている。
【００２５】
この実施例においては、内刃５を通常の使用姿勢のままでクリーニングするが、先の実施例と同様にブラシ１７を内刃５の振動方向とは逆向きに、しかも内刃５の振動ストロークを増幅してブラシ１７に伝動するので、固定配置したブラシでクリーニングを行う場合に比べて、ブラシ１７と内刃５との摺動ストロークを増加して効果的なクリーニングを行える。なお、ブラシ１７は内刃５と平行な姿勢を維持したまま、弧状の軌跡に沿って往復駆動される。一対のコ字形の抱持枠４２で内刃５を保持するので、クリーニング時に内刃５が水平回動しようとするのを規制して、内刃５の振動を支持腕３３に伝えることができる。
【００２６】
図９および図１０は清掃具Ｇの更に異なる別実施例を示しており、ホルダー１６を下向きに開口するキャップ状に形成し、その内部に配置したブラシ１７を前後一対の支持腕３３からなる支持体１８で浮動支持した。詳しくは、ホルダー１６の前後壁で、前後一対の支持腕３３を支点軸３４を介して左右揺動可能に支持した。各支持腕３３の上端はブラシ台３０と一体化しておく。各支持腕３３の下端にはフォーク状の受動片４４を一体に設け、これを内刃５に設けた駆動ピン４５と係合できるようにした。受動片４４をピン４５に係合しながら、ホルダー１６をかみそりヘッド４に装着することにより、内刃５の往復振動を受動片４４と支持腕３３とを介してブラシ１７に伝えることができる。この実施例においても、支持体１８が伝動機構１９を兼ねている。
【００２７】
この清掃具Ｇにおいても、内刃５を通常の使用姿勢のままでクリーニングするが、図７の清掃具Ｇと同様に、ブラシ１７を内刃５の振動方向とは逆向きに、しかも内刃５の振動ストロークを増幅してブラシ１７に伝動するので、効果的なクリーニングを行える。クリーニング時のブラシ１７は、支持腕３３の揺動軌跡によって規定される弧状の軌跡にしたがって往復駆動されるので、ブラシ１７の駆動ストロークの左右端における、ブラシ毛３１と内刃５との上下方向の接触寸法を増加できる。つまり、上下方向の動きが加わるので、ブラシ毛３１がブレード５ａの間に入り込みやすくなり、その分だけクリーニング効果を増すことができる。
【００２８】
上記の実施例以外に、支持体１８と伝動機構１９とは、それぞれに個別に設けることができる。例えばブラシ台３０をホルダー１６で直接に左右スライド自在に案内支持して、その支持構造を支持体１８とし、これとは別に図９で説明したような伝動機構１９を設けて、ブラシ１７を往復駆動することができる。
【００２９】
伝動機構１９は、構造を簡素化するためにてこ機構として構成することが好ましいが、例えば内刃５の往復動をピニオンラックやカム機構等で回転動作に変換したのち、回転動作を先の機構等で再度往復動作に逆変換してブラシ１７を往復駆動してもよい。上記の実施例以外に、清掃具Ｇは水洗い式に限定されず、その場合には通水口２７を省略できる。
【図面の簡単な説明】
【図１】クリーニング状態における清掃具の縦断正面図である。
【図２】外刃ホルダーおよび清掃具を分離した状態の電気かみそりの正面図である。
【図３】清掃具の分解斜視図である。
【図４】清掃具をかみそりヘッドに装着した状態の縦断正面図である。
【図５】図４におけるＡ−Ａ線断面図である。
【図６】図１におけるＢ−Ｂ線断面図である。
【図７】清掃具の別実施例を示す縦断正面図である。
【図８】図７におけるＣ−Ｃ線断面図である。
【図９】清掃具における更に異なる別実施例を示す縦断正面図である。
【図１０】図９におけるＤ−Ｄ線断面図である。
【符号の説明】
４  かみそりヘッド
５  内刃
８  振動子
１６ ホルダー
１７ ブラシ
１８ 支持体
１９ 伝動機構
２０  基枠
２１  キャップ
２７  通水口
Ｇ  清掃具
【図１】
0004301419.tif 000002
【図２】
0004301419.tif 000003
【図３】
0004301419.tif 000004
【図４】
0004301419.tif 000005
【図５】
0004301419.tif 000006
【図６】
0004301419.tif 000007
【図７】
0004301419.tif 000008
【図８】
0004301419.tif 000009
【図９】
0004301419.tif 000010
【図１０】
0004301419.tif 000011